(57)【要約】【課題】  例えば液晶装置等の電気光学装置において、複数系列のイネーブル信号相互間の系列差を低減することにより、高品質な表示を可能とする。【解決手段】  電気光学装置は、基板上に、複数の走査線に走査信号を供給して画素部の水平走査を行う走査線駆動部と、複数のデータ線に画像信号を供給するデータ線駆動部と、走査線駆動部に複数系列のイネーブル信号を供給する複数本の第１のイネーブル供給線とデータ線駆動部に複数系列のイネーブル信号を供給する複数本の第２のイネーブル供給線とのうち少なくとも一方と、前記画像信号を前記データ線駆動部に供給する画像信号線を含む複数の引回配線とを備える。複数本の第１のイネーブル供給線と複数本の第２のイネーブル供給線とのうち少なくとも一方は、データ線駆動部及び走査線駆動部の少なくとも一方へ引き回される途中の少なくとも一箇所において複数本のイネーブル供給線同士が互いに交差している。【選択図】  図３
2006201707.tif 000002
【特許請求の範囲】
【請求項１】
基板上に、
互いに交差して延びる複数のデータ線及び複数の走査線と、
前記データ線及び前記走査線に夫々電気的に接続され表示面を構成する複数の画素部と、
前記複数の走査線に走査信号を供給して前記画素部の水平走査を行う走査線駆動部と、
前記複数のデータ線に画像信号を供給するデータ線駆動部と、
前記走査線駆動部に複数系列のイネーブル信号を供給する複数本の第１のイネーブル供給線と前記データ線駆動部に複数系列のイネーブル信号を供給する複数本の第２のイネーブル供給線とのうち少なくとも一方と、
前記画像信号を前記データ線駆動部に供給する画像信号線と
を備えており、
前記データ線駆動部及び前記走査線駆動部の少なくとも一方は、(i)所定周期のクロック信号に基づいて複数の段から夫々転送信号を順次出力するシフトレジスタ、(ii)前記順次出力された転送信号における各パルスのパルス幅を、該パルス幅よりも狭い、前記複数本の第１のイネーブル供給線と前記複数本の第２のイネーブル供給線とのうち少なくとも一方から供給される前記複数系列のイネーブル信号の夫々が有するパルス幅に制限するパルス幅制限手段、及び(iii)前記パルス幅が制限された転送信号に応じて、前記画像信号及び前記走査信号の少なくとも一方を供給する供給手段を含み、
前記複数本の第１のイネーブル供給線と前記複数本の第２のイネーブル供給線とのうち少なくとも一方は、前記データ線駆動部及び前記走査線駆動部の少なくとも一方へ引き回される途中の少なくとも一箇所において前記複数本の第１のイネーブル供給線と前記複数本の第２のイネーブル供給線とのうち少なくとも一方同士が互いに交差していることを特徴とする電気光学装置。
【請求項２】
前記複数本の第１のイネーブル供給線と前記複数本の第２のイネーブル供給線とのうち少なくとも一方の途中に静電保護回路を備え、
前記複数本の第１のイネーブル供給線と前記複数本の第２のイネーブル供給線とのうち少なくとも一方は、前記静電保護回路と前記データ線駆動部及び前記走査線駆動部のうち少なくとも一方との間において、互いに交差していることを特徴とする請求項１に記載の電気光学装置。
【請求項３】
前記複数本の第１のイネーブル供給線と前記複数本の第２のイネーブル供給線とのうち少なくとも一方は、
前記互いに交差している個所と異なる個所において、同一導電層から形成されており、
前記互いに交差している個所内において、一本のイネーブル供給線の一部が、前記同一導電層に層間絶縁膜を介して積層された他の導電層から形成されると共に、該一本のイネーブル供給線の他部及び他のイネーブル供給線が、前記同一導電層から形成されている部分を含み、
前記一本のイネーブル供給線の一部と前記一本のイネーブル供給線の他部とは、前記層間絶縁膜に開孔されたコンタクトホールにより相互に電気的に接続されており、
前記一本のイネーブル供給線の一部は、前記互いに交差している個所内において、前記他のイネーブル供給線と前記層間絶縁膜を介して交差していることを特徴とする請求項１又は２に記載の電気光学装置。
【請求項４】
前記一本のイネーブル供給線の他部は、前記基板上で平面的に見て、前記一本のイネーブル供給線の一部の延びる方向に対して斜めである第１方向に、斜めに延びており、
前記他のイネーブル供給線は夫々、前記基板上で平面的に見て、前記互いに交差している個所内において、前記互いに交差している個所の前後で延びる方向に対して斜めであると共に前記第１方向に交差する第２方向に斜めに延びており且つ前記一本のイネーブル供給線の他部に前記層間絶縁膜を介して交差する斜め部分を含む
ことを特徴とする請求項３に記載の電気光学装置。
【請求項５】
前記データ線駆動部は、前記シフトレジスタ、前記パルス幅制限手段及び前記供給手段を含み、
前記データ線駆動部は、前記基板上において前記複数の画素部が配列されてなる画像表示領域の周辺に位置する周辺領域のうち前記画像表示領域及び前記辺間に位置する領域において、前記辺に沿って配置されており、
前記複数本の第１のイネーブル供給線と前記複数本の第２のイネーブル供給線とのうち少なくとも一方は、前記データ線駆動部における前記シフトレジスタよりも前記画像表示領域に近い回路部分へ引き回されており、
前記画像信号線は、前記データ線駆動部における前記パルス幅制限手段よりも前記画像表示領域に近い回路部分へ引き回されており、
前記基板上で平面的に見て、前記周辺領域のうち前記画像表示領域及び前記シフトレジスタ間に位置する領域において、前記複数本の第１のイネーブル供給線と前記複数本の第２のイネーブル供給線とのうち少なくとも一方及び前記画像信号線は、前記走査線に沿った方向に横並びに延在していることを特徴とする請求項１から４のいずれか一項に記載の電気光学装置。
【請求項６】
請求項１から５のいずれか一項に記載の電気光学装置を具備することを特徴とする電子機器。
【発明の詳細な説明】
【技術分野】
【０００１】
本発明は、例えば液晶装置等の電気光学装置、及び該電気光学装置を備えて構成される、例えば液晶プロジェクタ等の電子機器の技術分野に関する。
【背景技術】
【０００２】
この種の電気光学装置では、例えばその基板上に、データ線を駆動するためのデータ線駆動回路や走査線を駆動するための走査線駆動回路等が作り込まれる。即ち、この場合には、電気光学装置は、駆動回路内蔵型として構築される。その動作時には、データ線駆動回路は、画像信号線に供給される画像信号をサンプリングパルスのタイミングでサンプリングし、データ線に供給するように構成されている。ここで特に高い駆動周波数になると、サンプリングに用いられる時間的に相前後するサンプリングパルスの先端と後端とが僅かに重なってしまうため、相異なる時間にサンプリングされる筈の画像信号が部分的に重畳されてデータ線に供給されてしまう。この結果、解像度劣化やゴーストが発生する。
【０００３】
このため従来から、高い駆動周波数に追従して高精細な画像表示を実現するために、サンプリングパルスの各パルスを、順に選択される複数系列のイネーブル信号により夫々規定する技術がある。但し、サンプリングパルスの位相がずれると、やはり、相異なる時間にサンプリングされる筈の画像信号が重畳されてしまい、解像度劣化やゴーストが発生することがある。例えば特許文献１に記載された技術によれば、シフトレジスタ出力（一次クロック信号）を、二次クロック信号で整形してサンプリングパルスを生成し、サンプリングスイッチの開閉制御に用いる。この場合、サンプリングパルスのばらつきは、二次クロック信号のばらつき内に収められる。
【０００４】
【特許文献１】特開平８−２８６６４０号公報
【発明の開示】
【発明が解決しようとする課題】
【０００５】
しかしながら、サンプリングパルスの形状やパルス幅は、イネーブル信号の系列間誤差に起因して系列毎に異なる場合がある。その場合は、表示面に系列に対応した筋状の輝度斑が発生するおそれがあるが、特許文献１に記載されているような技術はこうした問題に十分に対応していない。駆動周波数が高くなる程、このようなイネーブル信号の系列間誤差の影響は相対的に増大するので、この問題は深刻さを増す。尚、以上の問題は液晶装置に限ったものではなく、他の電気光学装置であっても原理的に同様の問題が生じる可能性がある。
【０００６】
本発明は、例えば上記問題点に鑑みなされたものであり、複数系列のイネーブル信号相互間の系列差を低減することにより、高品質な表示を可能とする電気光学装置、及び該電気光学装置を備えた電子機器を提供することを課題とする。
【課題を解決するための手段】
【０００７】
本発明の電気光学装置は上記課題を解決するために、基板上に、互いに交差して延びる複数のデータ線及び複数の走査線と、前記データ線及び前記走査線に夫々電気的に接続され表示面を構成する複数の画素部と、前記複数の走査線に走査信号を供給して前記画素部の水平走査を行う走査線駆動部と、前記複数のデータ線に画像信号を供給するデータ線駆動部と、前記走査線駆動部に複数系列のイネーブル信号を供給する複数本の第１のイネーブル供給線と前記データ線駆動部に複数系列のイネーブル信号を供給する複数本の第２のイネーブル供給線とのうち少なくとも一方と、前記画像信号を前記データ線駆動部に供給する画像信号線とを備えており、前記データ線駆動部及び前記走査線駆動部の少なくとも一方は、(i)所定周期のクロック信号に基づいて複数の段から夫々転送信号を順次出力するシフトレジスタ、(ii)前記順次出力された転送信号における各パルスのパルス幅を、該パルス幅よりも狭い、前記複数本の第１のイネーブル供給線と前記複数本の第２のイネーブル供給線とのうち少なくとも一方から供給される前記複数系列のイネーブル信号の夫々が有するパルス幅に制限するパルス幅制限手段、及び(iii)前記パルス幅が制限された転送信号に応じて、前記画像信号及び前記走査信号の少なくとも一方を供給する供給手段を含み、前記複数本の第１のイネーブル供給線と前記複数本の第２のイネーブル供給線とのうち少なくとも一方は、前記データ線駆動部及び前記走査線駆動部の少なくとも一方へ引き回される途中の少なくとも一箇所において前記複数本の第１のイネーブル供給線と前記複数本の第２のイネーブル供給線とのうち少なくとも一方同士が互いに交差している。
【０００８】
本発明の電気光学装置によれば、その動作時に、走査線駆動部による水平走査で選択された画素部列に、データ線駆動部からデータ線を通じて画像信号が供給され、データが書き込まれる。これらにより、複数の画素部における、アクティブマトリクス駆動等の所定種類の動作が可能となる。
【０００９】
この際、例えば「データ線駆動部」では、シフトレジスタによって、転送信号が出力され、そのパルス幅が、パルス幅制限手段によって、複数系列のイネーブル信号のパルス幅に制限される。これらにより、パルス幅が一定となるように制限された転送信号が、サンプリングパルスとして得られる。このサンプリングパルスに応じて、例えばサンプリング手段によって、画像信号がサンプリングされ、サンプリングされた画像信号が対応するデータ線に入力される。尚、「サンプリングパルス」とは、画像信号線に供給される画像信号をデータ線に選択的に供給するためのサンプリングの際のタイミング制御用の信号であり、一般には、画像信号線とデータ線との間に設けた、サンプリング手段の一例たる、サンプリングスイッチの開閉を制御するように構成されている。また、シフトレジスタからの転送信号は各段から「順次」出力されるが、これは、各段から次々に出力される、といった意味であり、必ずしも、転送信号の時系列が各段の物理的な配列と対応している場合に限定されない。また、幾つかのサンプリングスイッチを一グループとして、同一サンプリングパルスにより同時開閉してもよい。
【００１０】
また例えば、データ線駆動部における上述の如きイネーブル信号を用いた動作に加えて又は代えて、「走査線駆動部」では、シフトレジスタによって、転送信号が出力され、そのパルス幅が、パルス幅制限手段によって、複数系列のイネーブル信号のパルス幅に制限される。これらにより、パルス幅が一定となるように制限された走査信号の出力が可能となる。
【００１１】
このように、転送信号は、データ線駆動部や走査線駆動部において、高周波化の常套手段として、複数系列のイネーブル信号によって整形される。即ち、転送信号のパルス幅は、より幅が狭い、複数系列のイネーブル信号のパルス幅によって制限される。ここで「複数系列」というのは、例えば同一構成又は異なる構成を有すると共に相互に独立して設けられる、複数のイネーブル信号生成回路や複数のイネーブル信号供給経路など、信号の発生起源又は供給経路が互いに異なっていることを指しており、最終的に重畳されて一つの連続信号として取り扱われる場合であっても、この概念に含まれる。そのような場合には、たとえ元々同一波形であることが意図されていても、回路素子の特性や素子や配線の電気的影響によって波形が僅かながら異なることがあり得る。複数系列のイネーブル信号は互いに独立した信号として取り扱うことができるため、一つの転送信号を時分割して複数の信号線に分配供給することができる。但し、仮にこのような複数系列のイネーブル信号を用いた波形整形のみでは、系列差に起因して表示上の不具合が生じるおそれがある。例えば、データ線駆動部では、イネーブル信号のパルス形状が画像信号に反映されるため、系列間でのパルス幅の違いが輝度差として顕在化し、表示品質を低下させることがある。具体的には、系列周期に対応する縦筋状の輝度斑となって現れる。
【００１２】
しかるに本発明では、複数本の第１のイネーブル供給線と前記複数本の第２のイネーブル供給線とのうち少なくとも一方は、データ線駆動部及び走査線駆動部の少なくとも一方へ引き回される途中の少なくとも一箇所において前記複数本の第１のイネーブル供給線と前記複数本の第２のイネーブル供給線とのうち少なくとも一方同士が互いに交差している。ここに本発明に係る「互いに交差」或いは「互いに交差している」とは、基板上で平面的に見て、一の方向に束になって延びる複数のイネーブル供給線について、各イネーブル供給線が、他のイネーブル供給線と立体的に交差して、基板上における配列順序が循環的に入れ替わることを意味する。
【００１３】
より具体的には、広義には「互いに交差」或いは「互いに交差している」とは、一の方向に束になって配列されており、この一の方向に交差する方向についての、いずれかの片側を基準としての順番が、互いに交差される個所以前で夫々、第ｉ番目（但し、ｉ＝１、…、Ｎ、Ｎは２以上の自然数）である複数本のイネーブル供給線を想定した場合、互いに交差される個所内では、第１番目のイネーブル供給線が、他のイネーブル供給線と交差して、それまで、例えば第Ｎ番目など第１番目以外の他のイネーブル供給線が配線されていた位置に入れ替わり、これに対応して該他のイネーブル供給線は夫々、例えばそれまで自らより一番ずつ若い順番など、それまで自らとは異なる他のイネーブル供給線が配線されていた位置に入れ替わることを意味する。
【００１４】
また狭義には「互いに交差」或いは「互いに交差している」とは、上述した広義の意味での「互いに交差」が、Ｎ回だけ行なわれること、即ち、順番の変更を一巡させることを意味する。言い換えれば、広義の「互いに交差」が一巡して行なわれることで、複数本のイネーブル供給線が「互いに交差」以前と以後とで、順番が不変であることを意味する。狭義の「互いに交差」が実施されているとは、複数本のイネーブル供給線が、複数本と同数の個所において、広義の「互いに交差」が繰り返して実施されているのと言い換えることも可能である。
【００１５】
このように互いに交差されているので、イネーブル供給線の周囲における回路素子の特性や素子や配線の電気的影響によって一のイネーブル供給線に対して生じる悪影響は、他のイネーブル供給線を含めた全イネーブル供給線において、大なり小なり均等化されることになる。即ち、複数本のイネーブル供給線が互いに交差されているので、これらの配線間における容量カップリングにより、或いは、これらの配線間でコンデンサ構造が構築されることになるので、一のイネーブル供給線で受けた波形の振れやノイズが、他のイネーブル供給線にも順繰りに伝わるのである。よって、一のイネーブル供給線における主に外的要因に基づく波形の揺らぎや変形、或いは雑音等は、互いに交差されている個所において、他のイネーブル供給線にも大なり小なり伝搬されるので、少なくとも複数系列のイネーブル信号の系列差が縮小されることになる。このようなイネーブル供給線の「互いに交差」によって、例えば、イネーブル信号の各パルスの幅や間隔（即ち、周波数）、立ち上がり時及び立ち下がり時の歪み具合を含めた形状等はほぼ一定となる。少なくとも、「互いに交差」を実施しない場合と比べると、極めて顕著に複数系列のイネーブル信号間におけるパルス幅等は均一になる。
【００１６】
そのため、上述の如く互いに交差された複数本のイネーブル供給線を介して供給されるイネーブル信号を用いてのパルス幅の制限によって、最終的に転送信号における各パルスの幅は均一化される。加えて、前述した「狭義の互いに交差」が施されている場合には、複数本のイネーブル供給線間における波形の揺らぎ等の均一化が、一層促進されることになるので、本発明に係る「互いに交差」による効果は、より大きいことになる。但し、前述した「広義の互いに交差」が施されている場合にも、複数本のイネーブル供給線間における波形の揺らぎ等の均一化が相応に促進されることになるので、本発明に係る「互いに交差」による効果は、相応に得られることになる。要すれば、本発明に係る「互いに交差」は、前述した「広義の互いに交差」でもよいし、「狭義の互いに交差」でもよく、特に後者の場合には絶大なる効果が期待できるというものであり、前者を除外するものではない。加えて、このような狭義の互いに交差が、イネーブル供給線の一区間又は大半の区間若しくは全区間に渡って繰り返して施されている場合についても勿論、本発明から除外されるものではない。尚、本明細書中において、「スクランブル」及び「スクランブルされている」を夫々、本発明に係る「互いに交差」及び「互いに交差されている」の意味として適宜用いる。
【００１７】
従って、例えば「データ線駆動部」では、以上のようにパルス幅が整形された転送信号に応じて、即ち、この信号をサンプリングパルスとして、画像信号のサンプリングが行われることから、データ線に供給される画像信号は、パルス幅が一定化される。或いは、例えば「走査線駆動部」では、以上のようにパルス幅が整形された転送信号に応じて、走査信号の出力が行われることから、走査信号は、パルス幅が一定化される。この際、転送信号の処理に際して複数系列のイネーブル信号を用いながらも、これらの系列差に起因する輝度斑を殆ど又は実践上全く生じさせないで済む。
【００１８】
以上の結果、本発明の電気光学装置によれば、イネーブル信号を極めて有効に利用しつつ、その欠点である、複数系列のイネーブル信号相互間の系列差を低減することで、最終的には、高品位の画像を表示可能となる。
【００１９】
本発明の電気光学装置の一態様では、前記複数本の第１のイネーブル供給線と前記複数本の第２のイネーブル供給線とのうち少なくとも一方の途中に静電保護回路を備え、前記複数本の第１のイネーブル供給線と前記複数本の第２のイネーブル供給線とのうち少なくとも一方は、前記静電保護回路と前記データ線駆動部及び前記走査線駆動部のうち少なくとも一方との間において、互いに交差している。
【００２０】
この態様によれば、製造中や製造後において不測の静電気が外部回路接続端子に印加されてしまった場合にも、静電保護回路が備えられているので、互いに交差された個所にコンデンサ構造が存在しても、ここで静電破壊が発生するのを極めて効果的に防止できる。仮に、静電保護回路がない、或いは静電保護回路及び外部回路接続端子間で複数のイネーブル供給線が互いに交差されていたとすれば、互いに交差された個所に存在するコンデンサ構造において、その個別具体的な構造に応じて静電破壊が大なり小なり発生し易くなってしまうのである。
【００２１】
本発明の電気光学装置の他の態様では、前記複数本の第１のイネーブル供給線と前記複数本の第２のイネーブル供給線とのうち少なくとも一方は、前記互いに交差している個所と異なる個所において、同一導電層から形成されており、前記互いに交差している個所内において、一本のイネーブル供給線の一部が、前記同一導電層に層間絶縁膜を介して積層された他の導電層から形成されると共に、該一本のイネーブル供給線の他部及び他のイネーブル供給線が、前記同一導電層から形成されている部分を含み、前記一本のイネーブル供給線の一部と前記一本のイネーブル供給線の他部とは、前記層間絶縁膜に開孔されたコンタクトホールにより相互に電気的に接続されており、前記一本のイネーブル供給線の一部は、前記互いに交差している個所内において、前記他のイネーブル供給線と前記層間絶縁膜を介して交差している。
【００２２】
この態様によれば、イネーブル供給線の一部と他のイネーブル供給線とが、層間絶縁膜を介して交差しているので、互いに交差している個所内において、係る層間絶縁膜を誘電体膜として且つイネーブル供給線の一部を一方の容量電極とすると共に他のイネーブル供給線を他方の容量電極として、コンデンサ構造を比較的容易にして実現できる。よって、上述した本発明に係る「互いに交差」による効果を増進させることが可能となる。
【００２３】
この態様では、前記一本のイネーブル供給線の他部は、前記基板上で平面的に見て、前記一本のイネーブル供給線の一部の延びる方向に対して斜めである第１方向に、斜めに延びており、前記他のイネーブル供給線は夫々、前記基板上で平面的に見て、前記互いに交差している個所内において、前記互いに交差している個所の前後で延びる方向に対して斜めであると共に前記第１方向に交差する第２方向に斜めに延びており且つ前記一本のイネーブル供給線の他部に前記層間絶縁膜を介して交差する斜め部分を含むように構成してもよい。
【００２４】
このように構成すれば、イネーブル供給線の一部と他のイネーブル供給線とが、層間絶縁膜を介して、例えば夫々斜め４５度ずつなどで、交差しているので、効率の良い平面レイアウトで、複数本のイネーブル供給線を配線できる。更に、製造工程において、パターニングする際についても、このように交差させることで基板上スペースに余裕が生まれ、しかも、イネーブル供給線の一部と他部とを繋ぐコンタクトホールを開孔する際にも、該コンタクトホールを開孔する基板上スペースを確保し易くなるという実践上非常に大きな利益が得られる。
【００２５】
本発明の電気光学装置の他の態様では、前記データ線駆動部は、前記シフトレジスタ、前記パルス幅制限手段及び前記供給手段を含み、前記データ線駆動部は、前記基板上において前記複数の画素部が配列されてなる画像表示領域の周辺に位置する周辺領域のうち前記画像表示領域及び前記辺間に位置する領域において、前記辺に沿って配置されており、前記複数本の第１のイネーブル供給線と前記複数本の第２のイネーブル供給線とのうち少なくとも一方は、前記データ線駆動部における前記シフトレジスタよりも前記画像表示領域に近い回路部分へ引き回されており、前記画像信号線は、前記データ線駆動部における前記パルス幅制限手段よりも前記画像表示領域に近い回路部分へ引き回されており、前記基板上で平面的に見て、前記周辺領域のうち前記画像表示領域及び前記シフトレジスタ間に位置する領域において、前記複数本の第１のイネーブル供給線と前記複数本の第２のイネーブル供給線とのうち少なくとも一方及び前記画像信号線は、前記走査線に沿った方向に横並びに延在している。
【００２６】
この態様によれば、イネーブル供給線を、外部回路接続端子から、周辺領域に基板の辺に沿って配置されたデータ線駆動部におけるシフトレジスタよりも後段側にまで、画像信号と交差しないように引き回すことが可能となる。他方、画像信号線を、外部回路接続端子から、周辺領域に基板の辺に沿って配置されたデータ線駆動部におけるパルス幅制限手段よりも後段側にまで、画像信号と交差しないように引き回すことが可能となる。よって、データ線駆動部において、サンプリング回路等の供給手段をデータ線が配線された画像表示領域に近い側に設けるという構成を採用すれば、引回配線について極めて効率的な平面レイアウトを実現できる。ここで特に、画像表示領域及びシフトレジスタ間に位置する領域において、複数本のイネーブル供給線及び画像信号線は、走査線に沿った方向に横並びに延在しているので、これらのイネーブル供給線及び画像信号線間における寄生容量等を介しての電磁気的な相互作用は大きい。このため、この領域で、画像信号線に最も近接する一のイネーブル供給線ついては、画像信号による影響で波形歪み等が生じ易い。しかるに、本発明では、係る一のイネーブル供給線を含めて複数のイネーブル供給線は、互いに交差されているので、係る一のイネーブル供給線で発生する波形歪み等により系列差が生じることを極めて効率的に防止することが可能となる。
【００２７】
しかも、本態様の如く画像表示領域及びシフトレジスタ間に位置する領域にイネーブル供給線及び画像信号線が横並びに延在している構成を採用することで、データ線駆動部において、サンプリング回路等の供給手段によりパルス幅が制限された転送信号をサンプリングパルスとして画像信号をサンプリングする構成を構築するのが極めて容易となる。更に、汎用的な電気光学装置の構成との整合性も取れるので、実践上極めて有利である。
【００２８】
本発明の電子機器は上記課題を解決するために、上述した本発明の電気光学装置（但し、その各種態様も含む）を具備する。
【００２９】
本発明の電子機器は、上述した本発明の電気光学装置を具備してなるので、高品位の画像を表示可能な、テレビ、携帯電話、電子手帳、ワードプロセッサ、ビューファインダ型又はモニタ直視型のビデオテープレコーダ、ワークステーション、テレビ電話、ＰＯＳ端末、タッチパネルなど、更には電気光学装置を露光用ヘッドとして用いたプリンタ、コピー、ファクシミリ等の画像形成装置など、各種電子機器を実現できる。また、本発明の電子機器として、例えば、電子ペーパなどの電気泳動装置、電子放出装置（Field Emission Display及びConduction Electron-Emitter Display）等を実現することも可能である。
【００３０】
本発明のこのような作用及び他の利得は次に説明する実施の形態から明らかにされる。
【発明を実施するための最良の形態】
【００３１】
本発明の実施の形態について図１から図８を参照しつつ説明する。以下の実施形態は、本発明の電気光学装置を液晶装置に適用したものである。
【００３２】
＜液晶装置の構成＞
先ず、本実施形態における液晶装置の全体構成について、図１及び図２を参照して説明する。図１は、対向基板側から見た液晶装置の平面図であり、図２は、図１のＨ−Ｈ'断面図である。
【００３３】
図１及び図２において、液晶装置は、対向配置されたＴＦＴアレイ基板１０と対向基板２０とから構成されている。ＴＦＴアレイ基板１０と対向基板２０との間には液晶層５０が封入されており、ＴＦＴアレイ基板１０と対向基板２０とは、画像表示領域１０ａの周囲に位置するシール領域に設けられたシール材５２により相互に接着されている。シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００３４】
ＴＦＴアレイ基板１０上における、画像表示領域１０ａの周辺に位置する周辺領域では、データ線駆動回路１０１及び外部回路接続端子１０２が、ＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ額縁遮光膜５３に覆われるようにして複数の配線１０５が設けられている。また、ＴＦＴアレイ基板１０及び対向基板２０の間には、両基板間の電気的導通を確保するための上下導通端子１０６が配置されている。
【００３５】
図２において、ＴＦＴアレイ基板１０上には、画素スイッチング用ＴＦＴや各種配線等の上に画素電極９ａが、更にその上から配向膜が形成されている。他方、対向基板２０上の画像表示領域１０ａには、液晶層５０を介して複数の画素電極９ａと対向する対向電極２１が形成されている。即ち、夫々に電圧が印加されることで、画素電極９ａと対向電極２１との間には液晶保持容量が形成される。この対向電極２１上には、格子状又はストライプ状の遮光膜２３が形成され、更にその上を配向膜が覆っている。液晶層５０は、例えば一種又は数種類のネマティック液晶を混合した液晶からなり、これら一対の配向膜間で、所定の配向状態をとる。
【００３６】
データ線駆動回路１０１は、後に詳述するように、シフトレジスタ、論理回路及びサンプリング回路を含んで構成されているが、このうち例えばサンプリング回路については、図１中で額縁領域５３に覆われる額縁領域内に配置されていてもよい。
【００３７】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。また、対向基板２０の投射光が入射する側及びＴＦＴアレイ基板１０の出射光が出射する側には各々、例えば、ＴＮ（ツイステッドネマティック）モード、 ＳＴＮ（スーパーＴＮ）モード、Ｄ−ＳＴＮ（ダブル−ＳＴＮ）モード等の動作モードや、ノーマリーホワイトモード／ノーマリーブラックモードの別に応じて、偏光フィルム、位相差フィルム、偏光板などが所定の方向で配置される。以上が、この液晶装置の構成の概要である。
【００３８】
次に、この液晶装置の主要な構成について図３から図６を参照して説明する。ここに、図３は、当該液晶装置の要部の構成を示している。図４は、図３に示した構成のうち転送信号の整形に関する回路系を表しており、図５は、変形例に係る図４と同趣旨の図である。
【００３９】
図３において、液晶装置は、例えば石英基板、ガラス基板或いはシリコン基板等からなるＴＦＴアレイ基板１０と対向基板２０（ここでは図示せず）とが液晶層を介して対向配置され、画像表示領域１０ａにおいて区画配列された画素電極９ａに印加する電圧を制御し、液晶層にかかる電界を画素毎に変調する構成となっている。これにより、両基板間の透過光量が制御され、画像が階調表示される。この液晶装置はＴＦＴアクティブマトリクス駆動方式を採り、ＴＦＴアレイ基板１０における画素表示領域１０ａには、マトリクス状に配置された複数の画素電極９ａと、互いに交差して配列された複数の走査線２及びデータ線３とが形成され、画素に対応する画素部が構築されている。尚、ここでは図示しないが、各画素電極９ａとデータ線３との間には、走査線２を介して夫々供給される走査信号に応じて導通、非導通が制御されるＴＦＴや、画素電極９ａに印加した電圧を維持するための蓄積容量が形成されている。また、画像表示領域１０ａの周辺領域には、データ線駆動回路１０１等の駆動回路、外部回路接続端子１０２及び静電保護回路１０３が形成されている。
【００４０】
データ線駆動回路１０１は、シフトレジスタ５１、論理回路５５及びサンプリング回路７からなる。シフトレジスタ５１は、データ線駆動回路１０１内に入力される所定周期のＸ側クロック信号ＣＬＸ（及びその反転信号ＣＬＸＢ）及びシフトレジスタスタート信号ＤＸに基づいて、各段から転送信号Ｐｉ（ｉ＝１、…、ｎ）を順次出力するように構成されている。
【００４１】
論理回路５５は、本発明の「パルス幅制限手段」の一具体例であり、転送信号Ｐｉ（ｉ＝１、…、ｎ）を複数系列のイネーブル信号に基づいて整形し、それを基にしてサンプリング回路駆動信号Ｓｉ（ｉ＝１、…、２ｎ）を出力する機能を有している。図４において、論理回路５５は、ＡＮＤ回路５５Ａからなる。ＡＮＤ回路５５Ａは、シフトレジスタ５１から入力される転送信号Ｐｉ（ｉ＝１、…、ｎ）と、４本のイネーブル供給線８１の夫々から供給される複数系列のイネーブル信号ＥＮＢ１〜ＥＮＢ４のうちの一つとの論理積を、サンプリング回路駆動信号Ｓｉ（ｉ＝１、…、２ｎ）として出力するように構成されている。論理積を求めることにより、転送信号Ｐｉ（ｉ＝１、…、ｎ）の波形は、よりパルス幅の狭いイネーブル信号ＥＮＢ１〜ＥＮＢ４の波形に基づいてトリミングされ、パルス幅がイネーブル信号のパルス幅に制限される。ここで、イネーブル信号ＥＮＢ１〜ＥＮＢ４は、本発明の「複数系列のイネーブル信号」の一例である。
【００４２】
サンプリング回路７は、画像信号線６に供給される画像信号ＶＩＤを、基準クロック信号であるサンプリング回路駆動信号Ｓｉ（ｉ＝１、…、２ｎ）に応じてサンプリングし、夫々をデータ信号としてデータ線３に印加する。サンプリング回路７は、例えば図４に示したように、Ｐチャネル型又はＮチャネル型の片チャネル型ＴＦＴ若しくは相補型のＴＦＴから構成されたサンプリングスイッチ７１からなる。
【００４３】
尚、ここでは説明の簡便のために画像信号線６は一本とし、いずれのサンプリングスイッチ７１もこの画像信号線６から画像信号ＶＩＤを供給されるようにしたが、画像信号は、シリアル−パラレル展開（即ち、相展開）されていてもよい。図５に変形例として示すように、画像信号を画像信号ＶＩＤ１〜ＶＩＤ６の６相にシリアル−パラレル展開した場合、これらの画像信号は、６本の画像信号線を夫々介してサンプリング回路７に入力される。複数の画像信号線に対し、シリアルな画像信号を変換して得たパラレルな画像信号を同時供給すると、データ線３への画像信号入力をグループ毎に行うことができ、駆動周波数が抑えられる。
【００４４】
走査線駆動回路１０４は、マトリクス状に配置された複数の画素電極９ａをデータ信号及び走査信号により走査線２の配列方向に走査するために、走査信号印加の基準クロックであるＹ側クロック信号ＣＬＹ（及びその反転信号ＣＬＹＢ）及びシフトレジスタスタート信号ＤＹに基づいて生成される走査信号を、複数の走査線２に順次印加するように構成されている。その際には、各走査線２には、両端から同時に電圧が印加される。
【００４５】
尚、クロック信号等の各種タイミング信号は、図示しないタイミングジェネレータにて生成され、ＴＦＴアレイ基板１０上の各回路に供給される。また、各駆動回路の駆動に必要な電源電圧ＶＤＤＸ、ＶＤＤＹ、ＶＳＳＹ、ＶＳＳＹ、制御信号ＤＩＲＸ、ＤＩＲＹ等もまた外部回路から外部回路接続端子１０２を介して供給される。更に、上下導通端子１０６から引き出された信号線には、外部回路から対向電極電位ＬＣＣが供給される。対向電極電位ＬＣＣは、上下導通端子１０６を介して対向電極２１に供給される。対向電極電位ＬＣＣは、画素電極９ａとの電位差を適正に保持して液晶保持容量を形成するための対向電極２１の基準電位となる。
【００４６】
＜液晶装置の駆動方法＞
次に、この液晶装置の動作、特に転送信号Ｐｉ（ｉ＝１、…、ｎ）をサンプリング回路駆動信号Ｓｉ（ｉ＝１、…、２ｎ）に整形する過程について図３から図６を参照して説明する。図６は、図４に示した駆動系における各種信号のタイミングチャートである。
【００４７】
図６のタイミングチャートに示したように、データ線駆動回路１０１では、先ずシフトレジスタ５１から転送信号Ｐｉ（ｉ＝１、…、ｎ）がＰ１、Ｐ２、…と順に出力される。転送信号Ｐｉ（ｉ＝１、…、ｎ）の夫々は、ＡＮＤ回路５５Ａにおいて、イネーブル信号ＥＮＢ１〜ＥＮＢ４のいずれかとの論理積をとることによって、そのパルス幅がイネーブル信号ＥＮＢ１〜ＥＮＢ４のパルス幅ｄ１に制限される（即ち、イネーブル信号ＥＮＢ１〜ＥＮＢ４によって整形される）。転送信号Ｐｉ（ｉ＝１、…、ｎ）は、シフトレジスタ５１に入力されるクロック信号ＣＬＸ等に応じて出力されることから、その高周波化にはクロック周期による制限のために一定の限界があるが、このように論理回路５５にてイネーブル信号との論理積をとることでパルス幅を制限すれば、狭小化することができる。
【００４８】
サンプリング回路駆動信号Ｓｉ（ｉ＝１、…、２ｎ）は、サンプリング回路７のサンプリングスイッチ７１群を駆動し、サンプリングスイッチ７１に画像信号線６から画像信号ＶＩＤを供給する。こうして画像信号ＶＩＤはサンプリングされるが、ここでサンプリング回路駆動信号Ｓｉ（ｉ＝１、…、２ｎ）のパルス幅がパルス幅ｄ１に揃っているために、生成されるデータ信号のパルス幅もパルス幅ｄ１に規定されており、また一様に揃えられている。また、サンプリング回路駆動信号Ｓｉ（ｉ＝１、…、２ｎ）のパルス周波数若しくはパルス間隔が所定値をとることから、生成されるデータ信号のパルス周波数若しくはパルス間隔も所定値に規定される。更に、ここではサンプリング回路駆動信号Ｓｉ（ｉ＝１、…、２ｎ）のパルス形状が所定形状に規定されているため、生成されるデータ信号のパルス形状も所定形状に規定される。よって、パルス幅やパルス形状等が適正に制御されたデータ信号を得ることができる。
【００４９】
データ信号は、各データ線３から選択画素列の画素電極９ａに印加され、また図示しない蓄積容量を充電又は放電して、データの書き込みを行う。その際、データ信号は、上述したようにパルス幅やパルス形状等が揃っているために輝度を相対的な適正値として表すことができ、表示像におけるパルス幅の差に基づく輝度斑の発生を低減或いは防止することができる。即ち、表示上の輝度は、画素電極９ａに供給されるデータ信号の高さ、幅、そして立ち上がり時及び立ち下がり時の歪み具合等によって左右されるからである。
【００５０】
図３に示すように、本実施形態では、特に４本のイネーブル供給線８１は、外部回路接続端子１０２からデータ線駆動回路１０１へ引き回される途中のスクランブル個所ＳＣＲ１においてスクランブルされている（つまり、イネーブル供給線８１同士が互いに交差している）。仮に４系列のイネーブル信号ＥＮＢ１〜ＥＮＢ４を用いた波形整形のみでは、系列差に起因して表示上の不具合が生じるおそれがある。例えば、データ線駆動回路１０１では、イネーブル信号ＥＮＢ1〜ＥＮＢ４のパルス形状が画像信号ＶＩＤに反映されるため、系列間でのパルス幅の違いが輝度差として顕在化し、表示品質を低下させることがある。具体的には、系列周期に対応する縦筋状の輝度斑となって現れる。
【００５１】
図３、図７及び図８を参照しつつ、本実施形態に係る「スクランブル」或いは「スクランブルされている」（即ち、「互いに交差」或いは「互いに交差している」）について説明する。図７は、図３の点線円ＳＣＲ１部分の部分拡大図である。図８（ａ）、図８（ｂ）及び図８（ｃ）は夫々、図７のＡ−Ａ’断面図、Ｂ−Ｂ’断面図及びＣ−Ｃ’断面図である。
【００５２】
図３において、本実施形態では、特に、４本のイネーブル供給線８１は、外部回路接続端子１０２からデータ線駆動回路１０１へ引き回される途中のスクランブル個所ＳＣＲ１においてスクランブルされている。
【００５３】
４本のイネーブル供給線８１は、ＴＦＴアレイ基板１０上で平面的に見て、一の方向（図３中、左右方向）に束になって延びている。図７及び図８に示すように、各イネーブル供給線８１は、他のイネーブル供給線８１と立体的に交差して、ＴＦＴアレイ基板１０上における配列順序が循環的に入れ替わっている。
【００５４】
より具体的には、図７及び図８に示すように、スクランブル個所ＳＣＲ１内では、イネーブル供給線８１ａが、イネーブル供給線８１ｂ、８１ｃ及び８１ｄと交差して、それまでイネーブル供給線８１ｄが配線されていた位置に入れ替わり、イネーブル供給線８１ｂは、それまでイネーブル供給線８１ａが配線されていた位置に入れ替わり、イネーブル供給線８１ｃは、それまでイネーブル供給線８１ｂが配線されていた位置に入れ替わり、イネーブル供給線８１ｄは、それまでイネーブル供給線８１ｃが配線されていた位置に入れ替わっている。上述した４本のイネーブル供給線８１の配列順序の循環的な入れ替えは、本発明に係る広義の「スクランブル」或いは「スクランブルされている」の一具体例である。
【００５５】
図７において、更に、上述した４本のイネーブル供給線８１の配列順序の循環的な入れ替え（広義のスクランブル）は、４個所において、繰り返して実施されているので、４本のイネーブル供給線８１がスクランブル以前と以後とで、順番が不変である。このような繰り返しは、本発明に係る狭義の「スクランブル」或いは「スクランブルされている」の一具体例である。
【００５６】
このようにスクランブルされているので、イネーブル供給線８１の周囲における回路素子の特性や素子や配線の電気的影響によって一のイネーブル供給線８１に対して生じる悪影響は、他のイネーブル供給線８１を含めた全イネーブル供給線８１において、大なり小なり均等化されることになる。即ち、４本のイネーブル供給線８１がスクランブルされているので、これらの配線間における容量カップリングにより、或いは、これらの配線間でコンデンサ構造が構築されることになるので、一のイネーブル供給線８１で受けた波形の振れやノイズが、他のイネーブル供給線８１にも順繰りに伝わる。よって、一のイネーブル供給線８１における主に外的要因に基づく波形の揺らぎや変形、或いは雑音等は、スクランブル個所ＳＣＲ１において、他のイネーブル供給線８１にも大なり小なり伝搬されるので、少なくとも４系列のイネーブル信号ＥＮＢ１〜ＥＮＢ４の系列差が縮小されることになる。このようなイネーブル供給線８１のスクランブルによって、例えば、イネーブル信号ＥＮＢ１〜ＥＮＢ４の各パルスの幅や間隔（即ち、周波数）、立ち上がり時及び立ち下がり時の歪み具合を含めた形状等はほぼ一定となる。少なくとも、スクランブルを実施しない場合と比べると、極めて顕著にイネーブル信号ＥＮＢ１〜ＥＮＢ４間におけるパルス幅等は均一になる。
【００５７】
そのため、上述の如くスクランブルされた４本のイネーブル供給線８１を介して供給されるイネーブル信号ＥＮＢ１〜ＥＮＢ４を用いてのパルス幅の制限によって、最終的に転送信号における各パルスの幅は均一化される。
【００５８】
更に、本実施形態では、前述した「狭義のスクランブル」が施されているので、４本のイネーブル供給線８１間における波形の揺らぎ等の均一化が、一層促進されることになる。但し、前述した「広義のスクランブル」だけを施すように構成してもよい。この場合にも、４本のイネーブル供給線８１間における波形の揺らぎ等の均一化が相応に促進されることになるので、本発明に係るスクランブルによる効果は、相応に得られる。
【００５９】
図８において、ＴＦＴアレイ基板１０上には、順に、下地絶縁膜１２、第１層間絶縁膜４１、第２層間絶縁膜４２、第３層間絶縁膜４３、第４層間絶縁膜４４が、この順に積層されている。４本のイネーブル供給線８１は、スクランブル個所ＳＣＲ１と異なる個所において、第３層間絶縁膜４３上の同一導電層１３４から形成されている。スクランブル個所ＳＣＲ１内において、イネーブル供給線８１ａの一部が、同一導電層１３４に層間絶縁膜４１、４２及び４３を介して積層された他の導電層１３１から形成されると共に、イネーブル供給線８１ａの他部及び他のイネーブル供給線８１ｂ、８１ｃ及び８１ｄが、同一導電層１３４から形成されている部分を含み、イネーブル供給線８１ａの一部とイネーブル供給線８１ａの他部とは、層間絶縁膜４３、４２及び４１に開孔されたコンタクトホール９１により相互に電気的に接続されている（図８（ａ）参照）。イネーブル供給線８１ａの一部は、スクランブル個所ＳＣＲ１内において、他のイネーブル供給線８１ｂ、８１ｃ及び８１ｄと層間絶縁膜４１、４２及び４３を介して交差している（図７及び図８（ｂ）参照）。その後、イネーブル供給線８１ａの他部は、それまでイネーブル供給線８１ｄが配線されていた位置に形成された同一導電層１３４からなり、イネーブル供給線８１ａの一部とイネーブル供給線８１ａの他部とは、層間絶縁膜４１、４２及び４３に開孔されたコンタクトホール９４により相互に電気的に接続されている（図８（ｃ）参照）。
【００６０】
このように構成されているので、スクランブル個所ＳＣＲ１内において、係る層間絶縁膜４１、４２及び４３を誘電体膜として且つイネーブル供給線８１ａの一部を一方の容量電極とすると共に他のイネーブル供給線８１ｂ、８１ｃ及び８１ｄを他方の容量電極として、コンデンサ構造を実現している。よって、上述した本発明に係るスクランブルによる、波形の揺らぎ等の均一化に係る効果を増進させることが可能となる。
【００６１】
なお、導電層１３４と１３１とは互いに異なる材質で形成してもよい。例えば、導電層１３４をアルミニウム、導電層１３１をポリシリコンで形成するようにしてもよい。
【００６２】
この場合、イネーブル供給線８１ａ〜ｄの間で、導電層１３４で形成される部分の配線長さ、配線幅、あるいは配線層厚さを等しく揃えると共に、導電層１３１で形成される部分の配線長さ、配線幅、あるいは配線層厚さも等しく揃えることが望ましい。このようにすると、導電層１３１と１３４とが異なる材質であってもイネーブル供給線全体の抵抗・容量値を揃えることができる。
【００６３】
更に、本実施形態では、イネーブル供給線８１ａの他部は、ＴＦＴアレイ基板１０上で平面的に見て、イネーブル供給線８１ａの一部の延びる方向に対して斜めである第１方向に、斜めに延びており、他のイネーブル供給線８１ｂ、８１ｃ及び８１ｄは夫々、ＴＦＴアレイ基板１０上で平面的に見て、スクランブル個所ＳＣＲ１内において、スクランブル個所ＳＣＲ１の前後で延びる方向に対して斜めであると共に第１方向に交差する第２方向に斜めに延びており且つイネーブル供給線８１ａの他部に層間絶縁膜４１、４２及び４３を介して交差する斜め部分を含むように構成されている。
【００６４】
このように構成されているので、イネーブル供給線８１ａの一部と他のイネーブル供給線８１ｂ、８１ｃ及び８１ｄとが、層間絶縁膜４１、４２及び４３を介して、夫々斜め約４５度ずつで、交差しているので、効率の良い平面レイアウトで、４本のイネーブル供給線を配線できる。更に、製造工程において、パターニングする際についても、このように交差させることでＴＦＴアレイ基板１０上スペースに余裕が生まれ、しかも、イネーブル供給線８１ａの一部と他部とを繋ぐコンタクトホール９１を開孔する際にも、コンタクトホール９１を開孔するＴＦＴアレイ基板１０上スペースを確保し易くなる。
【００６５】
従って、データ線駆動回路１０１では、以上のようにパルス幅が整形された転送信号Ｐｉ（ｉ＝１、…、ｎ）に応じて、即ち、この信号をサンプリングパルスとして、画像信号ＶＩＤのサンプリングが行われるので、データ線３に供給される画像信号ＶＩＤは、パルス幅が一定化される。この際、転送信号Ｐｉ（ｉ＝１、…、ｎ）の処理に際して４系列のイネーブル信号ＥＮＢ１〜ＥＮＢ４を用いながらも、これらの系列差に起因する輝度斑を殆ど又は実践上全く生じさせない。
【００６６】
以上の結果、本実施形態の電気光学装置では、イネーブル信号ＥＮＢ１〜ＥＮＢ４を極めて有効に利用しつつ、その欠点である、４系列のイネーブル信号ＥＮＢ１〜ＥＮＢ４相互間の系列差を低減することで、最終的には、高品位の画像を表示可能となる。
【００６７】
図３において、本実施形態の電気光学装置は、特に、４本のイネーブル供給線８１の途中に静電保護回路１０３を更に備え、４本のイネーブル供給線８１は、静電保護回路１０３とデータ線駆動回路１０１との間のスクランブル個所ＳＣＲ１において、スクランブルされている。
【００６８】
このように構成されているので、製造中や製造後において不測の静電気が外部回路接続端子１０２に印加されてしまった場合にも、静電保護回路１０３が備えられているので、スクランブル個所ＳＣＲ１にコンデンサ構造が存在しても、ここで静電破壊が発生するのを極めて効果的に防止できる。仮に、静電保護回路１０３がない、或いは静電保護回路１０３及び外部回路接続端子１０２間で４本のイネーブル供給線８１がスクランブルされていたとすれば、スクランブルされた個所に存在するコンデンサ構造において、その個別具体的な構造に応じて静電破壊が大なり小なり発生し易くなってしまう。
【００６９】
図３において、本実施形態の電気光学装置は、データ線駆動回路１０１は、シフトレジスタ５１、論理回路５５及びサンプリング回路７を含み、データ線駆動回路１０１は、ＴＦＴアレイ基板１０上において複数の画素部９ａが配列されてなる画像表示領域１０ａの周辺に位置する周辺領域のうち画像表示領域１０ａ及びＴＦＴアレイ基板１０の外部回路接続端子１０２が配列された辺間に位置する領域において、ＴＦＴアレイ基板１０の外部回路接続端子１０２が配列された辺に沿って配置されており、４本のイネーブル供給線８１は、データ線駆動回路１０１におけるシフトレジスタ５１よりも画像表示領域１０ａに近い回路部分へ引き回されており、画像信号線ＶＩＤは、データ線駆動回路１０１における論理回路５５よりも画像表示領域９ａに近い回路部分へ引き回されており、ＴＦＴアレイ基板１０上で平面的に見て、周辺領域のうち画像表示領域９ａ及びシフトレジスタ５１間に位置する領域において、４本のイネーブル供給線８１及び画像信号線ＶＩＤは、走査線２に沿った方向に横並びに延在している。
【００７０】
このように構成されているので、イネーブル供給線８１を、外部回路接続端子１０２から、周辺領域にＴＦＴアレイ基板１０の辺に沿って配置されたデータ線駆動回路１０１におけるシフトレジスタ５１よりも後段側にまで、画像信号ＶＩＤと交差しないように引き回すことが可能となる。他方、画像信号線６を、外部回路接続端子１０２から、周辺領域にＴＦＴアレイ基板１０の辺に沿って配置されたデータ線駆動回路１０１における論理回路５５よりも後段側にまで、画像信号ＶＩＤと交差しないように引き回すことが可能となる。よって、データ線駆動回路１０１において、サンプリング回路等７の供給手段をデータ線３が配線された画像表示領域９ａに近い側に設けるという構成になっているので、引回配線について極めて効率的な平面レイアウトを実現できる。ここで特に、画像表示領域１０ａ及びシフトレジスタ５１間に位置する領域において、４本のイネーブル供給線８１及び画像信号線６は、走査線２に沿った方向に横並びに延在しているので、これらのイネーブル供給線８１及び画像信号線６間における寄生容量等を介しての電磁気的な相互作用は大きい。このため、この領域で、画像信号線６に最も近接する一のイネーブル供給線８１ａについては、画像信号ＶＩＤによる影響で波形歪み等が生じ易い。しかるに、本実施形態では、係る一のイネーブル供給線８１ａを含めて複数のイネーブル供給線８１は、スクランブルされているので、係る一のイネーブル供給線８１ａで発生する波形歪み等により系列差が生じることを極めて効率的に防止することが可能となる。
【００７１】
しかも、本実施形態の如く画像表示領域９ａ及びシフトレジスタ５１間に位置する領域にイネーブル供給線８１及び画像信号線６が横並びに延在している構成を採用することで、データ線駆動回路１０１において、サンプリング回路７等の供給手段によりパルス幅が制限された転送信号をサンプリングパルスとして画像信号ＶＩＤをサンプリングする構成を構築するのが極めて容易となる。更に、汎用的な電気光学装置の構成との整合性も取れる。
＜電子機器＞
次に、上述した電気光学装置である液晶装置を各種の電子機器に適用する場合について説明する。
【００７２】
まず、この液晶装置をライトバルブとして用いたプロジェクタについて説明する。図９は、プロジェクタの構成例を示す平面図である。この図９に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００７３】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００７４】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００７５】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００７６】
次に、液晶装置を、モバイル型のパーソナルコンピュータに適用した例について説明する。図１０は、このパーソナルコンピュータの構成を示す斜視図である。図１０において、コンピュータ１２００は、キーボード１２０２を備えた本体部１２０４と、液晶表示ユニット１２０６とから構成されている。この液晶表示ユニット１２０６は、先に述べた液晶装置１００５の背面にバックライトを付加することにより構成されている。
【００７７】
さらに、液晶装置を、携帯電話に適用した例について説明する。図１１は、この携帯電話の構成を示す斜視図である。図１１において、携帯電話１３００は、複数の操作ボタン１３０２とともに、反射型の液晶装置１００５を備えるものである。この反射型の液晶装置１００５にあっては、必要に応じてその前面にフロントライトが設けられる。
【００７８】
尚、図９から図１１を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【００７９】
本発明は、上述した実施形態に限られるものではなく、請求の範囲及び明細書全体から読み取れる発明の要旨或いは思想に反しない範囲で適宜変更可能であり、そのような変更を伴う電気光学装置及び該電気光学装置を備えてなる電子機器もまた本発明の技術的範囲に含まれるものである。
【図面の簡単な説明】
【００８０】
【図１】実施形態に係る電気光学装置の全体構成を示す平面図である。
【図２】図１のＨ−Ｈ'断面図である。
【図３】実施形態に係る電気光学装置のＴＦＴアレイ基板上の回路構成を示す平面図である。
【図４】実施形態に係る電気光学装置の主要な駆動系の構成を示すブロック図である。
【図５】変形例に係る図４と同趣旨の図である。
【図６】実施形態に係る電気光学装置の駆動方法を説明するためのタイミングチャートである。
【図７】図３の点線円ＳＣＲ１部分の部分拡大図である。
【図８】図７の断面図であり、（ａ）はＡ−Ａ’断面図、（ｂ）はＢ−Ｂ’断面図、（ｃ）はＣ−Ｃ’断面図である。
【図９】電気光学装置を適用した電子機器の一例たるプロジェクタの構成を示す平面図である。
【図１０】電気光学装置を適用した電子機器の一例たるパーソナルコンピュータの構成を示す斜視図である。
【図１１】電気光学装置を適用した電子機器の一例たる携帯電話の構成を示す斜視図である。
【符号の説明】
【００８１】
２…走査線、３…データ線、６…画像信号線、７…サンプリング回路、１０…ＴＦＴアレイ基板、９ａ…画素電極、１０ａ…画像表示領域、２０…対向基板、２１…対向電極、４１、４２、４３…層間絶縁膜、５０…液晶層、５１…シフトレジスタ、５２…シール材、５３…額縁遮光膜、５５…論理回路、７１…サンプリングスイッチ、８１、８１ａ、８１ｂ、８１ｃ、８１ｄ…イネーブル供給線、９１、９４…コンタクトホール、１０１…データ線駆動回路、１０２…外部回路接続端子、１０３…静電保護回路、１０４…走査線駆動回路、１０６…上下導通端子、１３１、１３４…導電層、ｄ１…パルス幅、ＥＮＢ１〜ＥＮＢ４…イネーブル信号、Ｐｉ…転送信号、Ｓｉ…サンプリング回路駆動信号、ＶＩＤ、ＶＩＤ１〜ＶＩＤ６…画像信号
【図１】
2006201707.tif 000003
【図２】
2006201707.tif 000004
【図３】
2006201707.tif 000005
【図４】
2006201707.tif 000006
【図５】
2006201707.tif 000007
【図６】
2006201707.tif 000008
【図７】
2006201707.tif 000009
【図８】
2006201707.tif 000010
【図９】
2006201707.tif 000011
【図１０】
2006201707.tif 000012
【図１１】
2006201707.tif 000013